(57)【要約】【課題】  人を運ぶ担架や廃材などを排出するための袋などが必要であることに鑑み、ショアリング部材の収納手段の一部又は全部を木箱から担架やモッコに転用可能な形態の収納装置を提供すること。【解決手段】  平行に並べた複数の長尺のショアリング部材を表裏から被覆することができる大きさ並びに平面形状を有する柔軟なシート材によって、前記ショアリング材をその上に載置する略長方形状の底壁部と、該底壁部の左右の長辺にそれぞれ連続し、折返して当該底壁部の上に左右側から重ねられる左，右の上蓋壁部と、前記底壁部の上，下の短辺にそれぞれ連続し、折返して当該底壁部の上に上下側から重ねられる上蓋補助壁部とを形成する一方、前記底壁部の裏面であってその底壁部と左右上蓋壁部のほぼ境界線上に、左右でそれぞれ２人の要員が握るための略環状をなす掴み部を設けたこと。【選択図】図１
0003164247.tif 000002
【実用新案登録請求の範囲】
【請求項１】
平行に並べた複数の長尺のショアリング部材を表裏から被覆することができる大きさ並びに平面形状を有する柔軟なシート材によって、前記ショアリング材をその上に載置する略長方形状の底壁部と、該底壁部の左右の長辺にそれぞれ連続し、折返して当該底壁部の上に左右側から重ねられる左，右の上蓋壁部と、前記底壁部の上，下の短辺にそれぞれ連続し、折返して当該底壁部の上に上下側から重ねられる上蓋補助壁部とを形成する一方、前記底壁部の裏面であってその底壁部と左右上蓋壁部のほぼ境界線上に、左右で２人の要員が握るための略環状をなす掴み部を設けたことを特徴とするショアリング部材の収納装置。
【請求項２】
底壁部の上下に備わる補助上蓋壁部には、双方の補助天蓋壁部を連結して結束するための結束紐体を設けた請求項１のショアリング部材の収納装置。
【請求項３】
底壁部の上に折返した左右の天蓋壁部の対向する縁辺には、両天壁壁部を結合するために、ラインファスナ、又は、面ファスナ、若しくは、ホック，ボタン，結束紐のいずれかを設けた請求項１又は２のショアリング部材の収納装置。
【請求項４】
ショアリング部材は、平行に並べた状態を拘束保持するバインディングクランプで結束するようにした請求項１〜３のいずれかのショアリング部材の収納装置。
【考案の詳細な説明】
【技術分野】
【０００１】
本考案は、ショアリング装置を構成するショアリング部材を収納しておくと共に、担架などにも転用することができるショアリング部材の収納装置に関する。
【背景技術】
【０００２】
ショアリングとは、例えば、地震等の災害により、建物がその構造にダメージを受けて、余震の影響や自重によりさらに崩落，倒壊するなどの二次災害の危険性があるとき、そのような建物の危険度を評価し、建物内での救助活動中や建物内に要救助者が取り残されている場合などにおいて、二次倒壊を未然に防ぐ目的で、ダメージを受けた外壁、天井、或は、窓、ドアなどの開口部をショアと呼ばれる支柱組みで支え、当該建物のダメージを受けた部位を安定化させる技術である。
【０００３】
かかるショアリング技術を応用した装置として、本出願人らは、先に特許文献１に記載されたショアリング装置を提案し、既に実用に供している。
【０００４】
提案したショアリング装置は、一例として、長さが1mと1.3m前後のアルミ製単管が１５本〜２０本程度、上下部にジャッキを備えた高さ1.8mのサポート部材が６~８本、前記サポート部材間に架設支持される長さが900mmと1800mmの異なる平板状のアルミ製ストリンガービームが７〜８枚、前記サポート部材の支保工となるサポートスタンドが２~３脚、前記単管同士や単管とサポート部材の結合に用いられる自在クランプ８~１０個、直交クランプ２０個の構成部材によって形成されている。
【０００５】
上記ショアリング装置の構成部材（以下、単に「ショアリング部材」という）は、不使用時には、各部材ごとに収納できる木箱（以下、収納木箱という）に収めて格納している。
【０００６】
従って、上記のショアリング装置を災害時に建物等で使用したい場合には、収納木箱ごと現場に持ち込み、各ショアリング部材を収納木箱から出して必要とする形態のショアリングに組立てて対象部位（天井や壁など）にセットしているのが現状である。
【０００７】
しかし、ショアリングを必要とする災害現場においては、一度に多くの人を救出しなければならないほかに、ショアリング設置部周辺の瓦礫や廃材などの排出を行う必要があることが多く、このために、多数の担架や排出用袋などが必要となる。
【先行技術文献】
【特許文献】
【０００８】
【特許文献１】登録実用新案第3959514号公報
【考案の概要】
【考案が解決しようとする課題】
【０００９】
本考案は上記のようなショアリング装置を適用すべき広域災害においては、当該ショアリング装置とは別に、人を運ぶ担架や廃材などを排出するための袋などが必要であることに鑑み、ショアリング部材の収納手段の一部又は全部を木箱から担架やモッコに転用可能な形態の収納装置を提供することを課題とする。
【課題を解決するための手段】
【００１０】
上記課題を解決することを目的としてなされた本考案収納装置の構成は、平行に並べた複数の長尺のショアリング部材を表裏から被覆することができる大きさ並びに平面形状を有する柔軟なシート材によって、前記ショアリング材をその上に載置する略長方形状の底壁部と、該底壁部の左右の長辺にそれぞれ連続し、折返して当該底壁部の上に左右側から重ねられる左，右の上蓋壁部と、前記底壁部の上，下の短辺にそれぞれ連続し、折返して当該底壁部の上に上下側から重ねられる上蓋補助壁部とを形成する一方、前記底壁部の裏面であってその底壁部と左右上蓋壁部のほぼ境界線上に、左右でそれぞれ２人の要員が握るための略環状をなす掴み部を設けたことを特徴とするものである。
【００１１】
底壁部の上下に備わる補助上蓋壁部には、双方の補助天蓋壁部を連結して結束するための結束紐体を設けることがある。
【００１２】
底壁部の上に折返した左右の上蓋壁部の対向する縁辺には、両上壁壁部を結合するために、ラインファスナを設けることが望ましい。ラインファスナに代えて、面ファスナを設けたり、或は、ホックやボタンとその穴に、結束紐などを用いることもできる。
【００１３】
本考案における底壁部と、左右の上蓋壁部と、上下の補助上蓋壁部とは、例えば一枚の柔軟シート材の上にそれらの区画を形成して夫々の壁部とするが、各壁部ごとに柔軟シート材で形状を整え、夫々の壁部を底壁部の外周に、縫着や接着などにより接合した形であってもよい。
【考案の効果】
【００１４】
本考案は、平行に並べた複数の長尺のショアリング部材を表裏から被覆することができる大きさ並びに平面形状を有する柔軟なシート材によって、前記ショアリング材をその上に載置する略長方形状の底壁部と、該底壁部の左右の長辺にそれぞれ連続し、折返して当該底壁部の上に左右側から重ねられる左，右の上蓋壁部と、前記底壁部の上，下の短辺にそれぞれ連続し、折返して当該底壁部の上に上下側から重ねられる上蓋補助壁部とを形成する一方、前記底壁部の裏面であってその底壁部と左右上蓋壁部のほぼ境界線上に、左右で２人の要員が握るための略環状をなす掴み部を設けてショアリング部材の収納装置としたから、ショアリング部材を出して畳んだ状態にした収納装置は、畳んだ本考案装置の上に人を横臥させ、底壁部の左右に設けた夫々２組の掴み部を、４人の要員で掴んで持上げれば、あたかも担架と同様の姿になるので、担架として使用することができる。
また、上記の畳んだ状態の本考案装置は、災害現場に生じる廃材などをその上に載せれば、廃材を現場から排出，運出するためのいわばモッコとしても利用することができる。
【図面の簡単な説明】
【００１５】
【図１】ショアリング部材の代表例の平面図。
【図２】本考案によるショアリング部材の収納装置を展開した状態の平面図。
【図３】図２の展開した本考案収納装置に、図１のサポート部材を４本収納するためにセットした状態の平面図。
【図４】図３の本考案収納装置を折畳んで閉じた状態の平面図。
【図５】ショアリング部材を収納せずに空で折畳んだ本考案収納装置を担架として利用する状態の平面図。
【考案を実施するための形態】
【００１６】
次に本考案収納装置の実施の形態例について図を参照して説明する。図１は本考案収納装置が収容する対象物たるショアリング部材の例で、図１の（a）は、アルミ製の一例として45mm径、長さ1020mmと、1370mmの単管で、ここでは長い単管が８本、短い単管が９本を一つの標準例とした。（b）は高さが約1800mm〜1900mmで、上，下にジャッキ部を備えたサポート部材セットであり、標準例では７セットある。（c）はサポート部材セットと結合させて用いられるアルミ製のストリンガービームで、長さは900mmと1800mmの２種類が用意されており、900mmものが４本、1800mmもの４本が標準例である。このほか、図示しないが、単管（a）の接続や結合などに用いられる８個の自在クランプと２０個の直交クランプが標準例のセットに含まれ、また、アルミ製の三脚状をなすサポートスタンド２体も標準例に含まれている。なお、上記に述べたショアリング部材の標準例は、一例であって、本考案が適用されるショアリング部材が上記例のものに限られる訳ではないことは、言うまでもない。
【００１７】
上記のショアリング部材は、各部材ごとにそれぞれ調整されて、木製の箱体による収納装置に収めて不使用時には所定位置に格納されていたが、木製箱体であると単に収れ物としての機能しかないため、災害現場で各ショアリング部材を使用してショアリングが施工されると、空き箱は単に邪魔になる存在でしかなかった。この点に鑑み、ショアリング部材が取出されて空になった収納装置を、担架やモッコに転用できるようにしたのが本考案装置である。以下、本考案収納装置の例について図２〜図５により説明する。
【００１８】
図２の本考案装置は、展開状態の平面図である。ここで、本考案収納装置は、強靭な柔軟シート材、例えば帆布に防水加工を施したシート、或は、積層タイプ又は単層の柔軟かつ強靭な合成樹脂シートなどを主体に形成される。
具体例としては、例えば、図２における上下幅が3000〜3600mm程度、左右幅が1800mm程度の縦向き長方形のシート材を、その四隅を45度の角度で切落とし（ここを、内向き90度で切落したものもある）、このシート材の中央部分の上下幅約1800mm左右幅約900mmの範囲（エリア）を、本考案装置における底壁部１とする。
【００１９】
前記底壁部１の左右の外側に連続したシート材のエリアを、左右の上蓋壁部２，３とすると共に、この底壁部１の上下の外側に連続したシート材のエリアを上下の補助上蓋壁部４，５とする。図２に示した例では、左右の上壁壁部２，３と上下の補助上蓋壁部４，５とは、底壁部１の四隅において略三角形状をなす接続部６によって接続状態にある。本考案では、前記三角形状の接続部６をカットしたタイプのシート材もある。
【００２０】
前記の各壁部１〜５と４つの接続部６により区画されたシート材は、その裏面において、底壁部１の左右側と左右の上蓋壁部２，３の境界線上に、索や布テープ、紐などによって左右それぞれに２組の環状掴み部71，72、81，82が設けられていると共に、前記掴み部71，72、同81，82を形成するテープなどの根元部位に、左右４個ずつ、全部で８個の掴みハンドル部91，92、101，102が設けられている。
【００２１】
左右の上蓋壁部２，３を底壁部１の上に折曲げたとき、このようにして閉じた左右の上蓋壁部２，３を互に結束（又は拘束）するため、紐やテープによる複数組の結束具（21a，21b、22a，22b）を設けている。本考案においては、上記結束具21，22に代え、両上蓋壁部２，３をラインファスナや面ファスナで分離自在に結合する態様としてもよい。また、上下の補助上蓋壁部４，５にも、折畳んだこれら４，５を結束するための結束紐23a，23bが設けられている。
【００２２】
以上の構成により、本考案収納装置の一例が形成されるので、次にその使用態様の例について説明する。
まず、本考案装置を展開して図２に示す状態にする。図２のシート材における底壁部１の上に、例えば４本のサポート部材セット（b）をほぼ平行な向きで並べて載置する。このとき、４本のサポートセット（b）の上下部を、バインディングクランプBCで把持し、収納した前記のショアリング部材（b）がバラけないように結束すると取扱い易くなる。
【００２３】
この状態で、左右の上蓋壁部２，３を底壁部１の上に折込み、結束具21a，21b、同22a，22bを互に結ぶ。次いで、底壁部１の上下にある補助上蓋壁部４，５を、底壁部１の上に折込み、結束紐23a，23bを結ぶことにより、ショアリング部材を本考案収納装置を形成するシート材で包み込む（図４参照）。
【００２４】
そうすると、半環状の左右で４つの掴み部71，72、81，82（８個のハンドル部91，92、101，102も）が、ショアリング部材を包み込んだ本考案装置の左右側に露出されるので、４名の要員が、それぞれ各１つの掴み部71，72、81，82を両手（又は片手）で握るか、或いは、左右で４個ずつのハンドル91,92、101，102を４名の要員が両手で掴んで本考案装置を持上げ、所要場所に当該装置を運び込む。目的地に運び込んだら、地上に置いてそこで梱包を解いて内部のショアリング部材を取出してショアリング装置に組立てる。
【００２５】
本考案装置は、上記のようにしてショアリング部材の収納装置として用いられるが、例えば災害現場で収納していたショアリング部材を取出してしまえば展開状態の空の本考案装置が残る。そこで、残った本考案装置を空のまま、上下の補助上蓋壁部４，５、及び、左右の上壁壁部２，３を底壁部１の側に折込んで畳み、図５の状態にすると、この態様の本考案装置は、折畳んで底壁部の平面形状内にほぼ平坦に畳まれた各壁部１〜５が、４個所の掴み部71，72、81，82、又は、左右４個ずつのハンドル91，92、101，102を備えた担架状ないしはモッコ状を呈する（図５参照）。
【００２６】
従って、この状態の本考案装置を、人を運ぶための担架、或は、廃材などの排出，運搬のためのモッコとして利用することができる。
【産業上の利用可能性】
【００２７】
本考案収納装置は以上の通りであるから、ショアリング部材の収納装置であると共に、災害現場において人命救助用の簡易担架として、或は、瓦礫や廃材の排出用モッコとして利用することができる。
【符号の説明】
【００２８】
１      底壁部
２，３  左右の上蓋壁部
４，５  上下の補助上蓋壁部
６      接続部
71，72、81，82    掴み部
91，92、101，102  ハンドル部
【図１】
0003164247.tif 000003
【図２】
0003164247.tif 000004
【図３】
0003164247.tif 000005
【図４】
0003164247.tif 000006
【図５】
0003164247.tif 000007